【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
３次元シーンのホログラフィック再構成を観察することを可能とするビデオホログラフィのためのディスプレイ装置であって、
ホログラムで符号化されるホログラム記録媒体を照明するための、光源と、光学系とを含み、
前記ホログラム記録媒体に符号化される前記ホログラムは、再構成の対象となる前記３次元シーンが現実に存在するならば、当該シーンが観察者の目の位置の周辺に生成する波面を判定することにより計算されるか、または、前記ホログラム記録媒体は、観察者の眼が前記光源の像平面に位置する場合にのみビデオホログラフィック再構成を見ることができるように、コンピュータプロセッサにより生成されるホログラムの系列を用いて符号化され、前記３次元シーンの前記ホログラフィック再構成は、前記光源の前記像平面から空間的に離間している、
ことを特徴とするディスプレイ装置。
【請求項２】
前記ホログラフィック再構成は、前記ホログラムと前記像平面に形成されるビューイングウィンドウとにより定まる体積内に発生し、
前記観察者は前記再構成を前記ビューイングウィンドウを介して見ることを要求される、
ことを特徴とする請求項１に記載のディスプレイ装置。
【請求項３】
実質的に前記光源の前記像平面に位置することを強制される少なくとも１つのビューイングウィンドウが生成される、
ことを特徴とする請求項１に記載のディスプレイ装置。
【請求項４】
前記ビューイングウィンドウの少なくとも１つは、前記ホログラム記録媒体より小さい、
ことを特徴とする請求項１又は２に記載のディスプレイ装置。
【請求項５】
前記観察者の眼のそれぞれのための、別個のビューイングウィンドウがある、
ことを特徴とする請求項１又は２に記載のディスプレイ装置。
【請求項６】
各ビューイングウィンドウは、約１ｃｍ×１ｃｍである、
ことを特徴とする請求項５に記載のディスプレイ装置。
【請求項７】
観察者の目の位置が追跡され、当該観察者の頭が動いたときにも当該観察者が各ビューウィングウィンドウを介した光景を維持することができるように、前記ビューイングウィンドウの位置を変動させる、
ことを特徴とする請求項５に記載のディスプレイ装置。
【請求項８】
前記３次元シーンは複数の点を含み、
前記ホログラム記録媒体における前記ホログラムは、前記３次元シーンにおける前記複数の点の１つを再構成するのに必要な情報を有する領域を含み、
前記点は特定の観察位置から見ることができ、
前記領域は、（ａ）再構成される前記３次元シーンにおける前記点のための情報で符号化され、（ｂ）当該点のための情報で符号化される前記ホログラムにおける唯一の領域であり、（ｃ）前記ホログラムの全体の一部分を形成するための大きさが、高次回折に起因する前記点の複数の再構成を特定の観察位置において見ることができないように限られる、
ことを特徴とする請求項１に記載のディスプレイ装置。
【請求項９】
前記領域は位置及び大きさが可変であり、当該領域の当該位置及び大きさは前記点の位置と前記特定の観察位置の配置とによって決まる、
ことを特徴とする請求項８に記載のディスプレイ装置。
【請求項１０】
前記３次元シーンは複数の離散的な点で構成され、
前記ディスプレイ装置は、
（ａ）再構成すべき前記３次元シーンにおける点を選択し、
（ｂ）再構成された３次元シーンが観察されるビューイングウィンドウを定め、
（ｃ）前記ビューイングウィンドウのエッジから、選択された前記点を介して、前記ホログラム記録媒体の部分のみを形成する領域上への角錐をトレースし、
（ｄ）選択された前記点のホログラフィック再構成を生成するために必要なホログラフィック情報を、前記ホログラム記録媒体の前記領域においてのみ生成する、
ことを特徴とする請求項１に記載のディスプレイ装置。
【請求項１１】
観察者の左眼のために、そしてその後に当該観察者の右眼のために、前記ホログラム記録媒体においてホログラムを時系列で再符号化するように動作可能なコンピュータプロセッサを含む、
ことを特徴とする請求項１に記載のディスプレイ装置。
【請求項１２】
前記ディスプレイ装置は、前記ホログラフィック再構成が、前記ホログラムのフーリエ変換ではなく、前記ホログラムのフレネル変換であるように動作可能である、
ことを特徴とする請求項１に記載のディスプレイ装置。
【請求項１３】
前記ディスプレイ装置は、前記光学系を用いて、前記像平面において前記ホログラムのフーリエ変換を生成するように動作可能である、
ことを特徴とする請求項１に記載のディスプレイ装置。
【請求項１４】
複数の観察者が３次元シーンを見ることができるように、追加の光源をオンにすることにより、追加のビューイングウィンドウを生成する、
ことを特徴とする請求項１に記載のディスプレイ装置。
【請求項１５】
前記光源は、複数の光源、少なくとも１つの仮想光源、少なくとも１つの線状の光源、及び少なくとも１つの点光源の、少なくともいずれかを含む、
ことを特徴とする請求項１に記載のディスプレイ装置。
【請求項１６】
前記ホログラム記録媒体は、ＴＦＴフラットスクリーンである、
ことを特徴とする請求項１に記載のディスプレイ装置。
【請求項１７】
前記ディスプレイ装置は、テレビ受像機、マルチメディアデバイス、ゲーミングデバイス、医療画像表示装置、又は軍事情報表示装置である、
ことを特徴とする請求項１に記載のディスプレイ装置。
【請求項１８】
前記ホログラム記録媒体のフーリエ変換の周期間隔で前記光源の前記像平面にビューイングウィンドウが形成され、
当該ビューイングウィンドウは、観察者が前記３次元シーンを表す前記ホログラフィック再構成を見るために少なくとも一方の眼を配置する位置であり、
当該ビューイングウィンドウの大きさは、前記ホログラム記録媒体により解説した光の１つの回折次数より大きくない、
ことを特徴とする請求項１に記載のディスプレイ装置。
【請求項１９】
前記光学系を用いた照明が２つのビューイングウィンドウが前記光源の前記像平面において生成されるように与えられ、
前記ホログラム記録媒体におけるホログラムがビューイングウィンドウの起動と同期して再符号化されるか、２つのビューイングウィンドウが２つの光源を用いて同時に生成される、
ことを特徴とする請求項１に記載のディスプレイ装置。
【請求項２０】
前記観察者の片眼又は両眼の位置を追跡する位置センサを有する、
ことを特徴とする請求項１に記載のディスプレイ装置。
【請求項２１】
前記ホログラム記録媒体は、マトリクス状に又は他の均一なパターンに配置され、少なくとも１つの開口を有するセルを含み、
前記開口は、少なくとも１つの前記光源の光の位相または振幅を変調するために制御可能である、
ことを特徴とする請求項１に記載のディスプレイ装置。
【請求項２２】
ビデオホログラムがカラーで再構成され、
前記再構成は、３原色を表現する、セルごとに少なくとも３つの開口を用いて実行され、
前記開口は、少なくとも１つの前記光源の光の位相または振幅を変調するために制御可能であり、
前記開口は、前記原色のそれぞれに対して個別に符号化される、
ことを特徴とする請求項２１に記載のディスプレイ装置。
【請求項２３】
ビデオホログラムがカラーで再構成され、
原色のそれぞれに対して、少なくとも３つの再構成が次々と実行される、
ことを特徴とする請求項１又は２１に記載のディスプレイ装置。
【請求項２４】
前記ホログラム記録媒体は、位相又は振幅を制御することを特徴とする請求項１に記載のディスプレイ装置。
【請求項２５】
ホログラム記録媒体を照明するための光源と光学系とを含むディスプレイ装置及びコンピュータプロセッサを用いて３次元シーンのホログラフィック再構成を生成する方法であって、
再構成の対象となる前記３次元シーンが現実に存在するならば、当該シーンが観察者の目の位置の周辺に生成する波面を判定することにより、前記ホログラム記録媒体に符号化されるホログラムを計算する工程と、前記ホログラム記録媒体においてホログラムを符号化するために前記コンピュータプロセッサを使用する工程であって、前記ホログラム記録媒体は前記コンピュータプロセッサにより生成されるホログラムの系列を用いて符号化される工程、及び前記光源の像平面から空間的に離間している前記３次元シーンのホログラフィック再構成を観察者が見ることを可能とするように、前記観察者の眼の平面と一致するように前記光源の前記像平面を配置する工程と、のいずれかを有することを特徴とする方法。
【請求項２６】
請求項２５に記載の方法によりホログラフィック再構成を生成するためのホログラムを符号化することを特徴とするコンピュータ。
【請求項２７】
３次元シーンのホログラフィック再構成を見ることを可能とするディスプレイ装置のホログラム記録媒体であって、
前記ディスプレイ装置は、ホログラムで符号化される前記ホログラム記録媒体を照明するための光源と光学系とを含み、
前記ホログラム記録媒体に符号化される前記ホログラムは、再構成の対象となる前記３次元シーンが現実に存在するならば、当該シーンが観察者の目の位置の周辺に生成する波面を判定することにより計算されるか、または、前記ホログラム記録媒体は、観察者の眼が前記光源の像平面に位置する場合にのみ前記３次元シーンの前記ホログラフィック再構成を見ることができるように、コンピュータプロセッサにより生成されるホログラムの系列を用いて符号化され、前記３次元シーンの前記ホログラフィック再構成は、前記光源の前記像平面から空間的に離間している、
ことを特徴とするホログラム記録媒体。
【請求項２８】
請求項１に記載のディスプレイ装置により生成されることを特徴とするホログラフィック再構成。
【請求項２９】
３次元シーンのホログラフィック再構成を見ることを可能とするディスプレイ装置のホログラム記録媒体に符号化されるビデオホログラムであって、
前記ディスプレイ装置はホログラムで符号化されるホログラム記録媒体を照明するための光源と光学系とを含み、
前記ホログラム記録媒体に符号化される前記ホログラムは、再構成の対象となる前記３次元シーンが現実に存在するならば、当該シーンが観察者の目の位置の周辺に生成する波面を判定することにより計算されるか、または、前記ホログラム記録媒体は、観察者の眼が前記光源の像平面に位置する場合にのみ前記３次元シーンの前記ホログラフィック再構成を見ることができるように、コンピュータプロセッサにより生成されるホログラムの系列を用いて符号化され、前記３次元シーンの前記ホログラフィック再構成は、前記光源の前記像平面から空間的に離間している、
ことを特徴とするビデオホログラム。
【請求項３０】
ネットワークを介してホログラムの系列を送信する方法であって、
前記ホログラムの系列は請求項２９に記載のビデオホログラムを含む、
ことを特徴とする方法。